(57)【要約】【課題】商品が残り少数となっても、商品の包装表示内容を確実に把握することができ、また、商品を容易に取り出すことができる。【解決手段】底壁部２の左右各端縁に側面部３が折り目ａを介して連設される一方、底壁部２の前後各端縁に折り返し片が折り目ｂを介して連設されるとともに、各側面部３の前後各端縁に支持片５が折り目ｃを介して連設される。また、前方の折り返し片と支持片５との対向する端縁同士および後方の折り返し片と支持片５との対向する端縁同士端が、底壁部２と側面部３との折り目ａに連続する折り目ｄを介して連設される。さらに、折り返し片に、底壁部２と側面部３との折り目ａおよび底壁部３と折り返し片４との折り目ｂが交差する位置を始点として、折り目ｂに対して４５度方向に向かう斜め折り目が形成される。そして、折り返し片が折り込まれて底壁部２の裏面に接着される。【選択図】　図１
2004059021.tif 000002
【特許請求の範囲】
【請求項１】
底壁部の左右各端縁にそれぞれ側面部が折り目を介して連設される一方、底壁部の前後各端縁にそれぞれ折り返し片が折り目を介して連設されるとともに、各側面部の前後各端縁にそれぞれ支持片が折り目を介して連設され、また、底壁部の前端縁に連設された折り返し片と各側面部の前端縁にそれぞれ連設された支持片との対向する端縁同士および底壁部の後端縁に連設された折り返し片と各側面部の後端縁にそれぞれ連設された支持片との対向する端縁同士が、底壁部と各側面部との折り目に連続する折り目を介して連設され、さらに、底壁部の前後各端縁にそれぞれ連設された折り返し片には、底壁部と側面部との折り目および底壁部と折り返し片との折り目が交差する位置を始点として、底壁部と折り返し片との折り目に対して４５度方向に延びる斜め折り目が形成されてなり、底壁部の前後各端縁に連設された折り返し片が折り込まれて底壁部の裏面に接着されることを特徴とする展示トレー。
【請求項２】
前記底壁部に、該底壁部と折り返し片との後端縁側折り目を始点とするコ字状切れ目からなる接着部が形成されるとともに、底壁部の後端縁側の幅が前端縁側の幅よりもわずかに大きいことを特徴とする請求項１記載の展示トレー。
【請求項３】
底壁部の左右各端縁にそれぞれ側面部が折り目を介して連設される一方、底壁部の前端縁に折り返し片が折り目を介して連設されるとともに、各側面部の前端縁にそれぞれ支持片が折り目を介して連設され、また、底壁部の後端縁に立ち上げ片が折り目を介して連設されるとともに、各側面部の後端縁にそれぞれ糊代が折り目を介して連設され、底壁部の前端縁に連設された折り返し片と各側面部の前端縁にそれぞれ連設された支持片との対向する端縁同士が、底壁部と各側面部との折り目に連続する折り目を介して連設され、さらに、底壁部の前端縁に連設された折り返し片には、底壁部と側面部との折り目および底壁部と折り返し片との折り目が交差する位置を始点として、底壁部と折り返し片との折り目に対して４５度方向に延びる斜め折り目が形成されてなり、底壁部の前端縁に連設された折り返し片が折り込まれて底壁部の裏面に接着されるとともに、その後端縁に連設された立ち上げ片が折り込まれて左右の糊代とそれぞれ接着されることを特徴とする展示トレー。
【請求項４】
前記各側面部の外端縁にそれぞれ一対の切れ目を介して側壁部が連設され、一方の側壁部の他端縁に折り目を介して第２糊代が連設されるとともに、他方の側壁部の他端縁に折り目を介して上壁部が連設されることを特徴とする請求項３記載の展示トレー。
【発明の詳細な説明】
【０００１】
【発明の属する技術分野】
本発明は、菓子などの展示トレーに関するものである。
【０００２】
【従来の技術】
一般に、ガムやチョコレートなどの菓子（以下、商品という。）の展示トレーは、図１０に示すように、上方を開口した直方体形状に形成されている。すなわち、展示トレー１００は、底壁部１０１の左右各端縁からそれぞれ側壁部１０２が立設される一方、左右の側壁部１０２の前後各端縁にそれぞれ連設された糊代１０４に、底壁部１０１の前後端縁からそれぞれ立設された前後壁部１０３がそれぞれ接着されて形成されている。そして、前後壁部１０３には、それぞれ略Ｕ字状の切欠部１０３ａが形成されている。
【０００３】
このような展示トレー１００は、メーカーにて組み立てられた後、その空間内に複数個の商品Ｇが収容されるとともに、透明フィルムなどによって包装されて、コンビニエンスストアなどに輸送される。一方、コンビニエンスストアなどにおいては、透明フィルムなどの包装が除去された後、商品Ｇが収容された展示トレー１００が陳列棚に陳列される。
【０００４】
【発明が解決しようとする課題】
ところで、コンビニエンスストアなどにおいて、商品Ｇが展示トレー１００に収容された状態で陳列棚に陳列され、販売される場合、当初は、前後壁部１０３の切欠部１０３ａを通して展示トレー１００に収容された商品Ｇの包装表示内容を把握することができるものの、商品Ｇが徐々に取り出されて残り１段となると、前後壁部１０３に遮蔽されて商品Ｇの包装表示内容を把握することができない他、取り出しにくいという問題があった。また、商品Ｇが品切れとならないように、商品Ｇが残り少数となったら補充することが好ましいが、陳列棚における商品Ｇの陳列スペースは限られており、新たな展示トレー１００の陳列スペースを確保することは困難である。このため、商品Ｇが残り少数となった展示トレー１００を陳列棚から除去するとともに、新たな展示トレー１００を陳列棚に陳列し、新たな展示トレー１００の商品Ｇの上に、残りの商品Ｇをバラ積みするようにしているため、バラ積みされた商品Ｇが滑落するなどの欠点があった。
【０００５】
本発明は、このような問題に鑑みてなされたもので、商品が残り少数となっても、商品の包装表示内容を確実に把握することができるとともに、商品を容易に取り出すことのことのできる展示トレーを提供するものである。
【０００６】
【課題を解決するための手段】
本発明は、底壁部の左右各端縁にそれぞれ側面部が折り目を介して連設される一方、底壁部の前後各端縁にそれぞれ折り返し片が折り目を介して連設されるとともに、各側面部の前後各端縁にそれぞれ支持片が折り目を介して連設され、また、底壁部の前端縁に連設された折り返し片と各側面部の前端縁にそれぞれ連設された支持片との対向する端縁同士および底壁部の後端縁に連設された折り返し片と各側面部の後端縁にそれぞれ連設された支持片との対向する端縁同士が、底壁部と各側面部との折り目に連続する折り目を介して連設され、さらに、底壁部の前後各端縁にそれぞれ連設された折り返し片には、底壁部と側面部との折り目および底壁部と折り返し片との折り目が交差する位置を始点として、底壁部と折り返し片との折り目に対して４５度方向に延びる斜め折り目が形成されてなり、底壁部の前後各端縁に連設された折り返し片が折り込まれて底壁部の裏面に接着されることを特徴とするものである。
【０００７】
本発明によれば、左右の側面部を底壁部との折り目に沿って折り込んで立設させるとともに、底壁部に連設された各折り返し片の裏面に接着剤を塗布した後、各折り返し片を底壁部との折り目に沿って折り込んで、底壁部の裏面に接着する。この際、追従して折り返し片が斜め折り目に沿って折り込まれるとともに、側壁部に連設された各支持片も内方に折り込まれる。そして、折り返し片と支持片との対向する端縁同士の折り目が、底壁部と折り返し片との折り目に重なることから、折り返し片が底壁部の裏面に折り込まれることにより、斜め折り目に沿って折り込まれた折り返し片の重なり合った部分も、底壁部の裏面に折り返される。
【０００８】
このため、展示トレーの前後端面は、左右の側面部の前後各端縁から内方に向けて折曲された支持片を除いて、中央部の高さ方向全体が開口される。
【０００９】
この結果、展示トレーに収容された商品を支持片によって滑落することなく支持することができるとともに、商品の前面中央部が常に露出されているため、商品の包装表示内容および在庫量を把握することができ、また、商品を容易に取り出すことができる。
【００１０】
本発明において、前記底壁部に、該底壁部と折り返し片との後端縁側折り目を始点とするコ字状切れ目からなる接着部が形成されるとともに、底壁部の後端縁側の幅が前端縁側の幅よりもわずかに大きいと、底壁部の後端縁に連設された折り返し片を折り込んで接着部に接着することにより、接着部をコ字状切れ目に沿って切り離し、折り返し片を底壁部に対して折り目に沿って元に折り返す際、折り返し片に接着された接着部を片とともに簡単に折り返すことができる。そして、折り返し片を元に折り返して、底壁部に連続する水平面を形成するように後方に向けて延設すれば、支持片も側壁部に連続する垂直面を形成するように後方に向けて延設され、展示トレーの後端面が開口される。
【００１１】
したがって、開口された展示トレーの後端面側から、新たな展示トレーを、その前端面側から挿入することができ、新旧の展示トレーを、それらの底壁部が一部重合した状態で接続することができる。このため、陳列スペースを各別に必要とすることなく新たな展示トレーを陳列することができる。
【００１２】
また、本発明は、底壁部の左右各端縁にそれぞれ側面部が折り目を介して連設される一方、底壁部の前端縁に折り返し片が折り目を介して連設されるとともに、各側面部の前端縁にそれぞれ支持片が折り目を介して連設され、また、底壁部の後端縁に立ち上げ片が折り目を介して連設されるとともに、各側面部の後端縁にそれぞれ糊代が折り目を介して連設され、底壁部の前端縁に連設された折り返し片と各側面部の前端縁にそれぞれ連設された支持片との対向する端縁同士が、底壁部と各側面部との折り目に連続する折り目を介して連設され、さらに、底壁部の前端縁に連設された折り返し片には、底壁部と側面部との折り目および底壁部と折り返し片との折り目が交差する位置を始点として、底壁部と折り返し片との折り目に対して４５度方向に延びる斜め折り目が形成されてなり、底壁部の前端縁に連設された折り返し片が折り込まれて底壁部の裏面に接着されるとともに、その後端縁に連設された立ち上げ片が折り込まれて左右の糊代とそれぞれ接着されることを特徴とするものである。
【００１３】
本発明によれば、左右の側面部を底壁部との折り目に沿って折り込んで立設させるとともに、底壁部に連設された折り返し片の裏面に接着剤を塗布した後、折り返し片を底壁部との折り目に沿って折り込んで、底壁部の裏面に接着する。この際、追従して折り返し片の斜め折り目が折り込まれるとともに、側壁部に連設された各支持片も内方に折り込まれる。ここで、折り返し片と支持片との対向する端縁同士の折り目が、底壁部と折り返し片との折り目に重なることから、折り返し片が底壁部の裏面に折り込まれることにより、斜め折り目に沿って折り込まれた折り返し片の重なり合った部分も、底壁部の裏面に折り返される。
【００１４】
一方、立ち上げ片を底壁部との折り目に沿って折り込むとともに、各糊代を各側壁部との折り目に沿って折り込み、立ち上げ片の両端部を各糊代に接着する。
【００１５】
このため、展示トレーの前端面は、左右の側面部の各前端縁から内方に向けて折曲された支持片を除いて、中央部の高さ方向全体が開口され、また、その後端面は、立ち上げ片によって遮蔽される。
【００１６】
この結果、展示トレーに収容された商品を支持片および立ち上げ片によって滑落することなく支持することができるとともに、商品の前面中央部が常に露出されているため、商品の包装表示内容および在庫量を把握することができ、また、商品を容易に取り出すことができる。
【００１７】
本発明において、前記各側面部の外端縁にそれぞれ一対の切れ目を介して側壁部が連設され、一方の側壁部の他端縁に折り目を介して第２糊代が連設されるとともに、他方の側壁部の他端縁に折り目を介して上壁部が連設されると、組み立てられた展示トレーに設定された個数の商品を収容した後、一方の側壁部に対して第２糊代を折り込んで接着剤を塗布するとともに、他方の側壁部に対して上壁部を折り込んで第２糊代に接着することにより、展示トレーに収容された複数個の商品の左右側面および上面を左右の側壁部および上壁部によって覆うことができることから、包装容器に形成することができる。
【００１８】
一方、左右の一対の切れ目に沿ってそれぞれ切り裂くことにより、各側面部に対して各側壁部を第２糊代を介して接着された上壁部とともに切り離すことができる。これらの左右の側壁部および上壁部が切り離されると、前端面が左右の側面部の各前端縁から内方に向けて折曲された支持片を除いて中央部の高さ方向全体が開口され、また、その後端面が立ち上げ片によって遮蔽された展示トレーとなることから、展示トレーとして陳列棚に陳列することができる。
【００１９】
【発明の実施の形態】
以下、本発明の実施の形態を図面に基づいて詳細に説明する。
【００２０】
図１および図２には、本発明の展示トレー１の一実施形態が示されている。
【００２１】
この展示トレー１は、商品Ｇを展示するものであり、コートボールを図３に示す展開図にしたがって打ち抜いた後、折り目に沿って折り込むとともに、所定部分を貼着して組み立てられる。そして、組み立てた展示トレー１に設定個数の商品Ｇを収容するとともに、包装フィルムなどで包装した後、コンビニエンスストアなどに出荷される。
【００２２】
展示トレー１は、図３の展開図において、底壁部２の左右各端縁に左右の側面部３，３がそれぞれ折り目ａを介して連設される一方、底壁部２の前後各端縁に前後の折り返し片４，４がそれぞれ折り目ｂを介して連設され、各側面部３，３の前後各端縁に前後の支持片５，５がそれぞれ折り目ｃを介して連設されて構成されている。そして、底壁部２の前後各端縁に連設された折り返し片４と、側面部３の前後各端縁に連設された支持片５とは、それらの対向する端縁同士が底壁部２と側面部３との折り目ａに連続する折り目ｄを介して連設されている。また、底壁部２の前後各端縁に連設された折り返し片４には、底壁部２と側面部３との折り目ａおよび底壁部２と折り返し片４との折り目ｂが交差する位置を始点として、底壁部２と折り返し片４との折り目ｂに対して４５度方向に延びる斜め折り目ｅが形成されている。
【００２３】
このような展示トレー１を組み立てる場合は、底壁部２に対して左右の側面部３を折り目ａに沿って谷折りする一方、各折り返し片４の裏面に接着剤を塗布した後、底壁部２に対して各折り返し片４を折り目ｂに沿って山折りし、各折り返し片４を底壁部２の裏面に接着すればよい。この際、各折り返し片４が斜め折り目ｅに沿って谷折りされるとともに、各支持片５が各側面部３に対して折り目ｃに沿って谷折りされる。また、各折り返し片４と各支持片５との対向する端縁同士の折り目ｄが、底壁部２と折り返し片４との折り目ｂに重なることから、折り返し片４が底壁部２の裏面に折り込まれることにより、斜め折り目ｅに沿って折り込まれた各折り返し片４の重なり合った部分も、底壁部２の裏面に折り返される。
【００２４】
このように形成された展示トレー１に設定個数の商品Ｇを収容した後、全体を透明フィルムなどで包装してコンビニエンスストアなどに出荷される。店頭に展示する場合は、透明フィルムなどを除去した後、図示しない陳列棚に陳列すればよい。この場合、展示トレー１の前後各端面は、左右の側面部３の前後各端縁から内方に向けて支持片５が折曲されているものの、支持片５を除いた中央部の高さ方向全体が開口されている。
【００２５】
したがって、展示トレー１に収容された商品Ｇの前面中央部が常に露出されているため、商品Ｇの包装表示内容および在庫量を確実に把握することができるとともに、商品Ｇを展示トレー１から簡単に取り出すことができる。また、展示トレー１に収容された商品Ｇを支持片５によって滑落することなく支持することができる。
【００２６】
ところで、前述した実施形態においては、底壁部２の前後各端縁に折り返し片４を連設するとともに、各側面部３の前後各端縁に支持片５を連設した場合を例示したが、商品Ｇによっては前端縁のみに折り返し片４および支持片５を設けるようにしてもよい。
【００２７】
すなわち、展示トレー１の変形例である展示トレー１Ａは、図４および図５に示すように、底壁部２の前端縁および各側面部３の前端縁には、前述した実施形態と同様に、それぞれ折り返し片４および支持片５が連設されているが、底壁部２の後端縁には、立ち上げ片６が折り目ｆを介して連設される一方、各側面部３の後端縁には、糊代７が折り目ｇを介してそれぞれ連設されている。
【００２８】
この展示トレー１Ａは、底壁部２に対して左右の側面部３を折り目ａに沿って谷折りする一方、折り返し片４の裏面に接着剤を塗布した後、底壁部２に対して折り返し片４を折り目ｂに沿って山折りし、折り返し片４を底壁部２の裏面に接着し、次いで、底壁部２に対して立ち上げ片６を折り目ｆに沿って谷折りするとともに、各側面部３に対して糊代７を折り目ｇに沿って谷折りし、各糊代７に接着剤を塗布した後、立ち上げ片６の両端部をそれぞれ糊代７に接着すればよい。
【００２９】
このようにして組み立てられた展示トレー１Ａにおいても、底壁部２の後端が立ち上げ片６によって閉鎖される一方、各側面部３の前端縁から内方に向けて支持片５が折曲されていることにより、展示トレー１Ａに商品Ｇを前端縁側から後端縁側にかけて商品Ｇを収容すれば、それぞれ商品Ｇの左右下隅部を支持片５によって支持した状態で、商品Ｇを展示トレー１Ａに収容して陳列することができる。この際、商品Ｇの包装表示内容を確実に把握することができるとともに、商品Ｇを容易に取り出すことができる。
【００３０】
一方、前述した展示トレー１Ａにおいては、メーカーにおいて組み立てられた後、透明フィルムなどで別途包装されて出荷される場合を説明したが、展示トレー１Ａに包装機能を付加することもできる。
【００３１】
以下、包装容器兼用の展示トレー１Ｂについて、図６および図７に基づいて説明する。
【００３２】
この展示トレー１Ｂは、図５に示した展開図において、一方の側面部３の外側端縁に一対の切れ目ｈ，ｈを介して側壁部８が連設されるとともに、該側壁部８の外側端縁に折り目ｉを介して上壁部９が連設される一方、他方の側面部３の外側端縁に一対の切れ目ｈ，ｈを介して側壁部８が連設されるとともに、該側壁部８の外側端縁に折り目ｉを介して第２糊代７Ａが連設されて構成されている（図７参照）。ここで、側面部３の幅（折り目ａと内方の切れ目ｈとの間隔）と、側壁部８の幅（内方の切れ目ｈと折り目ｉとの間隔）とを加えた長さが、商品Ｇの高さＨ（図６参照）に設定されている。
【００３３】
この展示トレー１Ｂは、底壁部２に対して左右の側面部３および側壁部８を折り目ａに沿って谷折りする一方、折り返し片４の裏面に接着剤を塗布した後、底壁部２に対して折り返し片４を折り目ｂに沿って山折りするとともに、折り返し片４を底壁部２の裏面に接着し、次いで、底壁部２に対して立ち上げ片６を折り目ｆに沿って谷折りするとともに、各側面部３に対して糊代７を折り目ｇに沿って谷折りし、各糊代７に接着剤を塗布した後、立ち上げ片６の両端部をそれぞれ糊代７に接着する。そして、このように組み立てられた展示トレー１Ｂの底壁部２に、その前端縁側から後端縁側にかけて複数個の商品Ｇを配置収容した後、側壁部８に対して第２糊代７Ａを谷折りして、その表面に接着剤を塗布するとともに、側壁部８に対して上壁部９を谷折りして、その裏面を第２糊代７Ａに接着することにより、商品Ｇを包装することができる。
【００３４】
この場合、商品Ｇは、その前面の左右下隅部が支持片５によって支持されるとともに、後面が立ち上げ片６によって支持されるため、脱落することが防止される。また、商品Ｇの前面および後面は、露出されているため、商品Ｇの包装表示内容から、包装を開封することなくその中身を把握することができる。
【００３５】
一方、このように包装されて商品Ｇがコンビニエンスストアなどに輸送されたならば、各一対の切れ目ｈ，ｈによって区画された端部を把握して引き裂けば、側面部３から上方の、左右の側壁部８および第２糊代７Ａに接着されて一体となっている上壁部９を切り離すことができる。この状態は、先に図４に示した展示トレー１Ａとなることから、そのまま陳列棚に陳列すればよい。
【００３６】
ところで、前述した展示トレー１において、展示トレー１内の商品Ｇの在庫がなくなった場合に、商品Ｇが収容された展示トレー１を新たに陳列することになる。ここで、展示トレー１内の商品Ｇの在庫が一定個数に減少した場合に、新たな展示トレー１を陳列できるようにすれば、常に商品Ｇが店頭に陳列されるため好ましい。
【００３７】
以下、商品Ｇが一定個数に減少した場合、各別な設置スペースを必要とすることなく新たに陳列できる展示トレー１Ｃについて説明する。
【００３８】
なお、この展示トレー１Ｃは、先に図１乃至図３において説明した展示トレー１とほぼ同一の構成を有しており、相違する点についてのみ説明する。
【００３９】
この実施形態の展示トレー１Ｃは、図８に示す展開図において、底壁部２の後端縁に連設された折り返し片４に対応して、底壁部２と折り返し片４との後端縁側折り目ｂを始点とするコ字状切れ目ｊからなる接着部２ａが底壁部２に形成されるとともに、接着部２ａが形成された側である底壁部２の後端縁の幅Ｗ１　は、その前端縁の幅Ｗ２　よりもコートボールの厚みを考慮してわずかに大きく設定されている。
【００４０】
このような展示トレー１を組み立てる場合は、底壁部２に対して左右の側面部３を折り目ａに沿って谷折りする一方、接着部２ａの裏面に接着剤を塗布した後、底壁部２に対して後端縁側の折り返し片４を折り目ｂに沿って山折りし、折り返し片４を接着部２ａの裏面に接着するとともに、前端縁側の折り返し片４の裏面に接着剤を塗布した後、底壁部２に対して折り返し片４を折り目ｂに沿って山折りし、折り返し片４を底壁部２の裏面に接着すればよい。この際、各折り返し片４が斜め折り目ｅに沿って谷折りされるとともに、各支持片５が各側面部３に対して折り目ｃに沿って谷折りされる。また、各折り返し片４と各支持片５との対向する端縁同士の折り目ｄが、底壁部２と折り返し片４との折り目ｂに重なることから、折り返し片４が底壁部２の裏面に折り込まれることにより、斜め折り目ｅに沿って折り込まれた各折り返し片４の重なり合った部分も、底壁部２の裏面に折り返される。
【００４１】
このようにして組み立てられ、商品Ｇが収容された展示トレー１Ｃがコンビニエンスストアなどに出荷されたならば、展示トレー１の場合と同様に陳列棚に陳列される。
【００４２】
展示トレー１Ｃ内の商品Ｇの在庫が少なくなった場合には、展示トレー１Ｃを陳列棚から取り出した後、底壁部２に形成された接着部２ａを押し込み、接着部２ａをコ字状切れ目ｊに沿って切り離す。ここで、底壁部２の後端縁に連設された折り返し片４は、接着部２ａにのみ接着されている。したがって、折り返し片４を底壁部２との折り目ｂに沿って後方に向けて折り返した際、折り返し片４に接着された接着部２ａについても折り目ｂに沿って折り返すことができる。このため、折り返し片４を底壁部２に連続する水平面を形成するように後方に延設させることができる。また、左右の側面部３の各後端縁に連設された支持片５についても、左右の側面部３に連続する垂直面を形成するように後方に向けて延設させることができる。この結果、図９に示すように、展示トレー１Ｃの後端面は、開口される。
【００４３】
一方、新たな展示トレー１Ｃを取り出し、その前端面側を、先に折り返し片４および支持片５を元に戻した展示トレー１Ｃの後端縁側から前方に向けて差し込み、両方の展示トレー１Ｃ，１Ｃを接続する（図９参照）。この際、展示トレー１Ｃにおける底壁部２の前端縁の幅Ｗ２　は、その後端縁側の幅Ｗ１　よりもわずかに小さいため、容易に挿入することができる。
【００４４】
このようにして、新旧二つの展示トレー１Ｃ，１Ｃを、それらの底壁部２，２が一部重なり合った状態で陳列棚に陳列すれば、商品Ｇの在庫が少なくなった展示トレー１Ｃの底壁部２を一部利用して、新たな展示トレー１Ｃを陳列することができる。したがって、陳列棚に割り当てられた当該商品Ｇの床面積が小さい場合であっても、陳列することができる。しかも、商品Ｇの在庫をきらすことなくを常に陳列することができる。
【００４５】
【発明の効果】
以上のように本発明によれば、商品が残り少数となっても、商品の包装表示内容を一目で把握することができるとともに、商品を容易に取り出すことができる。
【図面の簡単な説明】
【図１】本発明の展示トレーの一実施形態を示す斜視図である。
【図２】図１の展示トレーの裏面を一部省略して示す斜視図である。
【図３】図１の展示トレーの展開図である。
【図４】図１の展示トレーの変形例を示す斜視図である。
【図５】図４の展示トレーの展開図である。
【図６】図１の展示トレーの他の変形例を示す斜視図である。
【図７】図６の展示トレーの展開図である。
【図８】図１の展示トレーのもう一つの変形例を示す斜視図である。
【図９】図８の展示トレーを陳列する要領を説明する斜視図である。
【図１０】従来の展示トレーを示す斜視図である。
【符号の説明】
１，１Ａ，１Ｂ，１Ｃ　展示トレー
２　底壁部
２ａ　接着部
３　側面部
４　折り返し片
５　支持片
６　立ち上げ片
７，７Ａ　糊代
８　側壁部
９　上壁部
ａ，ｂ，ｃ，ｄ，ｆ，ｇ，ｉ　折り目
ｅ　斜め折り目
ｈ　切れ目
ｊ　コ字状切れ目
Ｇ　商品
【図１】
2004059021.tif 000003
【図２】
2004059021.tif 000004
【図３】
2004059021.tif 000005
【図４】
2004059021.tif 000006
【図５】
2004059021.tif 000007
【図６】
2004059021.tif 000008
【図７】
2004059021.tif 000009
【図８】
2004059021.tif 000010
【図９】
2004059021.tif 000011
【図１０】
2004059021.tif 000012